(57)【要約】      （修正有）【課題】トイレ室内の壁面Ｗに固定されるトイレ用身体保持具に関し、一般家庭等において適した軽量・コンパクトかつ安価なものを提供する。【解決手段】軸受部材１３の連結片１３２とベース部材１４に打抜き部１４１を形成して、打抜き部の上縁に使用姿勢当接部１４３を設け、回転体１２の胴部１２１の後方には当接片１２４を突設し、使用姿勢において使用姿勢当接部に当接片が当接するように構成することにより、荷重を支持する当接部がほぼ壁面上に存在することとなり、収納時にも壁面に沿って収納することができるため、軽量・コンパクトかつ安価なトイレ用身体保持具を実現することができる。便器の側壁にトイレ用身体保持具１を取り付けることにより、使用姿勢において便器に着座した人が身体保持部１１に前傾状態で凭れるようにして使用する。【選択図】図２
0003153053.tif 000002
【実用新案登録請求の範囲】
【請求項１】
トイレ室内の壁面に固定され、使用姿勢と、収納姿勢との間で回動可能に保持されるトイレ用身体保持具であって、
壁面に固定されるベース部材と、
水平方向に回転軸が挿通可能な軸挿通孔が穿設された一対の垂直片と、該垂直片間を連結するとともに前記ベース部材に一体的に固定される連結片とを有して断面略コ字状に形成される軸受部材と、
中心に貫通孔が形成される胴部と、該胴部の前方に延設される身体保持部固定片とを有する回転体と、
前記身体保持固定片に固定されて前記回転体と一体的に設けられる身体保持部とよりなり、
回転軸を、前記軸受部材の垂直片と前記回転体の貫通孔に回動可能に枢止するとともに、
前記軸受部材の連結片と前記ベース部材に打抜き部を形成して該打抜き部の上縁に使用姿勢当接部を設け、前記回転体の胴部の後方には当接片を突設し、使用姿勢において前記使用姿勢当接部に前記当接片が当接してなることを特徴とする、
トイレ用身体保持具。
【考案の詳細な説明】
【技術分野】
【０００１】
本考案は、トイレの壁面に取付けられて、身体を保持するために用いられるトイレ用身体保持具に関するものである。
【背景技術】
【０００２】
近年、トイレ室内における着座・起立の補助や、身体保持のために、手すり等のトイレ用身体保持具が設けられることが多くなっている。
特に、トイレ用身体保持具を必要とする人と、必要としない健常者とが混在利用する事を鑑みて、収納可能としたものが望まれる。
ところが、現在流通しているものは、公共施設等での使用を考慮して、堅牢な設計としたものが多く、高価である上、比較的重量が大きいため、壁の強度が保たないために一般的な住宅では取付けることができず、不便かつ危険な状態で我慢してしまうような状況が見られた。
【０００３】
そのようなことから、一般住宅における身体保持具の必要性は高まっており、軽量・コンパクトかつ安価なものが求められている。
【０００４】
一般住宅における使用を考慮した身体保持具として、例えば特許文献１のアームレスト支持構造を例示する。特許文献１は、アーム先端のアーム固定部を、壁面に固定された取付金具に連結して、アームを水平位置から起立位置に亘り回動可能に支持する支持構造であって、前記取付金具内には略水平状に筒部が設けられているとともに、前記アーム固定部には、前記筒部内に挿通される回転軸と、少なくとも前記水平位置において前記取付金具の内壁に当接してアームを水平に保持し得るストッパーが設けられていることを特徴とするものである。
【先行技術文献】
【特許文献】
【０００５】
【特許文献１】特開平１１−２４７３９４号公報
【考案の概要】
【考案が解決しようとする課題】
【０００６】
特許文献１のアームレスト支持構造は、従来の公共施設用の身体保持具と比較すると、軽量・コンパクトで、一般住宅における使用にも耐えうるものである。
しかしながら、ストッパーにバネを利用するため、経年的には劣化による保持力の低下が否めず、使用につれ危険性が増すという問題がある。
【０００７】
本考案は、それらの問題を解決し、軽量・コンパクトかつ安価で、経年変化のないトイレ用身体保持具の提供を目的とする。
【課題を解決するための手段】
【０００８】
本考案は上記の問題に鑑みてなされたものであって、トイレ室内の壁面に固定され、使用姿勢と、収納姿勢との間で回動可能に保持されるトイレ用身体保持具であって、壁面に固定されるベース部材と、水平方向に回転軸が挿通可能な軸挿通孔が穿設された一対の垂直片と、該垂直片間を連結するとともに前記ベース部材に一体的に固定される連結片とを有して断面略コ字状に形成される軸受部材と、中心に貫通孔が形成される胴部と、該胴部の前方に延設される身体保持部固定片とを有する回転体と、前記身体保持固定片に固定されて前記回転体と一体的に設けられる身体保持部とよりなり、回転軸を、前記軸受部材の垂直片と前記回転体の貫通孔に回動可能に枢止するとともに、前記軸受部材の連結片と前記ベース部材に打抜き部を形成して該打抜き部の上縁に使用姿勢当接部を設け、前記回転体の胴部の後方には当接片を突設し、使用姿勢において前記使用姿勢当接部に前記当接片が当接してなることを特徴とする、トイレ用身体保持具である。
【考案の効果】
【０００９】
荷重を支持する当接部がほぼ壁面上に有り、支持部を壁面から突設させる特許文献１のアームレスト支持構造のように支持部に大きなモーメントが作用せずにベース部材に保持することができるとともに、収納時にも壁面に沿って収納することができる、軽量・コンパクトかつ安価なトイレ用身体保持具を提供することができる。
【図面の簡単な説明】
【００１０】
【図１】本考案によるトイレ用身体保持具をトイレ室内に取付けた状態を示す斜視図であって、（ａ）は使用姿勢、（ｂ）は収納姿勢を示す。（実施例１）
【図２】本考案によるトイレ用身体保持具の分解斜視図である。（実施例１）
【図３】本考案によるトイレ用身体保持具の回転軸周辺を示す部分断面図であって、（ａ）は使用姿勢、（ｂ）は収納姿勢を示す。（実施例１）
【図４】本考案によるトイレ用身体保持具をトイレ室内に取付けた状態を示す斜視図であって、（ａ）は使用姿勢、（ｂ）は収納姿勢を示す。（実施例２）
【図５】本考案によるトイレ用身体保持具の分解斜視図である。（実施例２）
【図６】本考案によるトイレ用身体保持具の回転軸周辺を示す部分断面図であって、（ａ）は使用姿勢、（ｂ）は収納姿勢を示す。（実施例２）
【図７】本考案によるトイレ用身体保持具を組立てる際、身体保持部と回転体とを連結固定する係止ねじを隠すねじ各支部材を示す斜視図である。
【考案を実施するための形態】
【００１１】
以下に、本考案を実施するための形態について説明する。実施例１は図１ないし図３に示されるとおり、便器の側壁にトイレ用身体保持具を取付けることにより、使用姿勢において便器に着座した人が身体保持部に前傾状態で凭れるようにして使用する形態であり、実施例２は図４ないし図６に示されるとおり、便器の後方の壁面にトイレ用身体保持具を取付けて、使用姿勢において肘掛けとして使用する形態である。
【実施例１】
【００１２】
図１は、本考案によるトイレ用身体保持具をトイレ室内に取付けた状態を示す斜視図であって、（ａ）は使用姿勢、（ｂ）は収納姿勢を示している。
図１において、符号１は本考案によるトイレ用身体保持具であり、Ｂは便器、Ｗは壁面を示す。トイレ用身体保持具１は、取付状態においては、カバー体Ｃと、身体保持部１１とが表れた状態で、コンパクトな外観とされていることにより、余りトイレ室内の広くないことの多い一般住宅においても圧迫感なく使用することができる。
【００１３】
トイレ用身体保持具１は、図２に示すように、身体保持部１１と、回転体１２と、軸受部材１３と、ベース部材１４と、回転軸１５と、から構成される。
【００１４】
身体保持部１１は、中空かつ、断面略矩形状に形成される中空芯材１１１と、中空芯材１１１の周りを被覆する、クッション体１１２とからなる。
中空芯材１１１は、例えばステンレス等の金属製で、基端側の一定範囲には塗装が施されるとともに、残りの先端側領域には発泡ウレタン等よりなるクッション体１１２が被覆されて、肘などを着いた際に痛みを感じないようにされる。
【００１５】
また、クッション体１１２は、トイレで使用されることを考慮して、抗菌剤が混入されており、雑菌の繁殖を抑えることができる。なお、中空芯材１１１の先端部には、クッション体１１２を被覆する際、クッション体１１２が侵入するのを防止するために、小口が塞がれた状態とされる（図示なし）とともに、他端部下面には、回転体１２に対して係止するためのねじ挿通孔１１３が設けられる。
【００１６】
回転体１２は、例えばアルミ押出型材よりなり、略円筒状に形成される胴部１２１と、身体保持部１１側に延設されて、中空芯材１１１の基端部側の内部に挿入される身体保持部固定片１２２とより構成され、胴部１２１の中心には、水平方向に貫通孔１２３が設けられて、回転軸１５が挿通される。更に、胴部１２１の後端側は延長されて、当接片１２４が形成される。身体保持部固定片１２２の下面には、中空芯材１１１に形成されるねじ挿通孔１１３に対応する位置にねじ係止螺孔１２５が形成されている。
【００１７】
軸受部材１３およびベース部材１４は、金属板をプレス加工することにより形成される。軸受部材１３は、ベース部材１４に対し垂直状に起立して設けられる一対の垂直片１３１と、一対の垂直片１３１間を連結する連結片１３２とにより平面視略コ字状に形成されるとともに、連結片１３２はベース部材１４に一体的に溶接・固定される。垂直片１３１には、回転軸１５が水平方向に挿通可能となるように軸挿通孔１３４が設けられる。また、収納姿勢当接部１３５は、身体保持部１１が収納姿勢、すなわち垂直な状態において、回転体１２の当接片１２４が存在する位置に、垂直片１３１の一部を内側に折曲して形成され、当接片１２４と当接することにより、一方の回動範囲を規制する。
【００１８】
ベース部材１４は、縦長の矩形板状に形成され、四隅部には壁面Ｗに固定されたアンカーボルトＡ（図７参照）を挿通するアンカーボルト挿通孔１４２が設けられる。また、ベース部材１４の略中央部に、軸受部材１３が溶接・固定されて一体化される。
【００１９】
使用姿勢当接部１４３は、回転体１２の回動する軌跡上で、収納姿勢当接部１３５から（図３における）反時計回りに９０°回転した位置に形成され、当接片１２４と当接することにより、他方の回動範囲を規制する。具体的には、軸受部材１３およびベース部材１４の適宜位置に、プレス加工により略矩形状の抜き加工を行って打抜き部１３３、１４１とし、その上縁部を使用姿勢当接部１４３とする。
【００２０】
身体保持部１１と回転体１２とは、前述のとおり中空芯材１１１の内部に身体保持部固定片１２２を挿入した状態で、係止ねじ２、２をねじ挿通孔１１３を挿通し、ねじ係止螺孔１２５に螺合することで固定される。このとき、中空芯材１１１よりもやや大きめに形成される筒状のねじ隠し部材３を、予め中空芯材１１１に挿通しておき、係止ねじ２を締付けた後、ねじ隠し部材３を基端部側にスライドさせることによって、係止ねじ２を隠蔽することができる（図７参照）。
【００２１】
一体とされた身体保持部１１と回転体１２とは、ベース部材１４に固定された軸受部材１３の垂直片１３１に設けられた軸挿通孔１３４を挿通する回転軸１５を回転体１２の貫通孔１２３に挿通することにより、枢止される。このとき、ボルト１５１およびナット１５２から構成される回転軸１５は、ばねワッシャ１５３を垂直片１３１の外側に挟持固定されて緩み止めとされるとともに、対向する垂直片１３１間に、貫通孔１２３を挿通するように設けられるカラー５によって、垂直片１３１の間の間隔を一定に保つ。更に、回転体１２と垂直片１３１との間には、回動時に金属同士が摩擦して発生する不快な音鳴りを防止すべく、樹脂ワッシャよりなる摺動部材４が挟持される。これにより、身体保持部１１は、ある程度の力を掛けないと回動しない程度に取付けられるとともに、前記のとおりばねワッシャ１５３の反発力により、経年による締付け力の低下を防ぎ、身体保持部１１の不意の回動による怪我等を防止する。上記までの作業により、壁面Ｗに取付け可能な状態とされるが、ここまでの作業は、生産工場にて行われ、出荷されるものである。
【００２２】
壁面Ｗへの取付けは、クッション体１１２の高さが適正となる位置で、ベース部材１４に設けられたアンカーボルト挿通孔１４２に合わせて壁面Ｗに固定されたアンカーボルトＡに対しアンカーボルト挿通孔１４２を挿通して、ナットを締付けて固定される。その後、カバー体Ｃを嵌合固定することで、取付け作業が完了する。カバー体Ｃとベース部材１４との取付けは、カバー体Ｃに突設された係合爪Ｃ１と、ベース部材１４に設けられたカバー係合部１４４とを嵌合させることで行われる。
【００２３】
図３（ａ）は、使用姿勢の回転軸１５周辺を示す部分断面図であり、（ｂ）は収納姿勢の回転軸１５周辺を示す部分断面図である。（ａ）において、回転体１２の胴部１２１は、回転軸１５の同心円と短軸が同じ長さで、長軸は使用姿勢当接部１４３までの長さの楕円形を組合わせたもので、欠落部１２６は軽量化および材料節減のためのものである。これにより、回転体１２の回動による当接片１２４の軌跡は回転軸１５と同心円上に存在することとなり、設計が容易となる。また、当接片１２４の上面および下面を平坦面状に形成しており、これにより、使用姿勢当接部１４３および収納姿勢当接部１３５と確実に当接するため、動作が確実なものとなる。
【実施例２】
【００２４】
実施例２は、図４ないし６に示すとおり、便器Ｂの後方の壁面Ｗにトイレ用身体保持具１’を取付けて、使用姿勢において肘掛けとして使用する形態である。基本的な構成は実施例１と同様のため、共通部分については説明を省略する。
【００２５】
実施例２では、その使用目的から、身体保持部１１’の中空芯材１１１’の中間部付近を円弧状に形成して、使用姿勢において先端側が床面と平行となるように形成される。これにより、ベース部材１４’等の壁面Ｗへの取付位置を低くすることができ、肘から先をクッション体１１２’についた時、肘の痛みを軽減する他、視覚的な圧迫感を軽減することができる。
【００２６】
身体保持部１１’の形状の相違により、使用姿勢における中空芯材１１１’の基端部の角度は水平ではなく、やや上方に傾斜状態となる。これに対応すべく、ベース部材１４’の使用姿勢当接部１４３’は、実施例１における使用姿勢当接部１４３の位置よりも、当接片１２４の回転軌跡上において図６上で時計回りに約２０°回転した位置に設定する必要がある。
【００２７】
具体的には、ベース部材１４’の使用姿勢当接部１４３’を、プレス加工により斜め下方に延出する半抜き状態とした打抜き部１４１’として、打抜き部１４１’の下端部を、使用姿勢当接部１４３’とする。また、軸受部材１３については、実施例１と同様に、貫通状の打抜き部１３３を形成する。ここで、実施例１における使用姿勢当接部１４３と、実施例２における使用姿勢当接部１４３’とを、ベース部材１４（１４’）の水平方向中心線に対し対称位置に形成すると、工場における組立て時に、ベース部材１４を上下反転させることでベース部材１４’とすることができる。
【００２８】
その他の部分については、実施例１と同様の構成である。いずれの実施例においても、軽量・コンパクトかつ安価なトイレ用身体保持具１’を実現していることから、一般家庭における使用に適したものとなっている。
【産業上の利用可能性】
【００２９】
本考案は、軽量・コンパクトかつ安価で、経年変化の少ない、一般家庭における使用に適したトイレ用身体保持具に関するものである。
【符号の説明】
【００３０】
１        トイレ用身体保持具
１’      （実施例２における）トイレ用身体保持具
１１      身体保持部
１１１    中空芯材
１１２    クッション体
１１３    ねじ挿通孔
１１’    （実施例２における）身体保持部
１１１’  （実施例２における）中空芯材
１１２’  （実施例２における）クッション体
１２      回転体
１２１    胴部
１２２    身体保持部固定片
１２３    貫通孔
１２４    当接片
１２５    ねじ係止螺孔
１２６    欠落部
１３      軸受部材
１３１    垂直片
１３２    連結片
１３３    打抜き部
１３４    軸挿通孔
１３５    収納姿勢当接部
１４      ベース部材
１４１    打抜き部
１４１’  （実施例２における）打抜き部
１４２    アンカーボルト挿通孔
１４３    使用姿勢当接部
１４４    カバー係合部
１４’    （実施例２における）ベース部材
１４３’  （実施例２における）使用姿勢当接部
１５      回転軸
１５１    ボルト
１５２    ナット
１５３    ばねワッシャ
２        係止ねじ
３        ねじ隠し部材
４        摺動部材（樹脂ワッシャ）
５        カラー
Ａ        アンカーボルト
Ｂ        便器
Ｃ        カバー体
Ｃ１      係合爪
Ｗ        壁面
【図１】
0003153053.tif 000003
【図２】
0003153053.tif 000004
【図３】
0003153053.tif 000005
【図４】
0003153053.tif 000006
【図５】
0003153053.tif 000007
【図６】
0003153053.tif 000008
【図７】
0003153053.tif 000009